(57)【特許請求の範囲】
【請求項１】
煙の濃度に応じて変化する煙信号を検出して出力する煙検出部と、
感知器の外部温度を検出して出力する外部温度検出部と、
感知器の内部温度を検出して出力する内部温度検出部と、
火災による熱を受けた際の温度上昇の度合いを表す前記外部温度と内部温度の温度差を算出する温度差算出部と、
前記外部温度と前記温度差とに基づいて前記煙信号の補正係数を決定する補正係数決定部と、前記煙信号に前記補正係数を乗算して補正する煙信号補正部と、
を備え、更に、
前記補正係数決定部は、前記外部温度及び前記温度差の各々を所定の温度幅をもつ複数の温度領域に分割し、前記外部温度が同じ温度領域に属している場合、前記温度差の増加に実質的に比例して増加するように補正係数を前記温度差の温度領域毎に予め設定し、且つ前記温度差が同じ温度領域に属している場合、前記外部温度の上昇に実質的に比例して増加するように前記補正係数を前記外部温度の温度領域毎に予め設定し、前記外部温度検出部で検出した外部温度の属する温度領域と前記温度差算出部で算出した温度差の属する温度領域から予め設定された補正係数を決定することを特徴とする火災感知器。
【請求項２】
煙の濃度に応じて変化する煙信号を検出して出力する煙検出部と、
感知器の外部温度を検出して出力する外部温度検出部と、
火災による熱を受けた際の温度上昇の度合いを表す前記外部温度と感知器の内部温度とみなした擬似出力（参照温度）との温度差を算出する温度差算出部と、
前記外部温度と前記温度差とに基づいて前記煙信号の補正係数を決定する補正係数決定部と、
前記煙信号に前記補正係数を乗算して補正する煙信号補正部と、
を備え、更に、
前記補正係数決定部は、前記外部温度及び前記温度差の各々を所定の温度幅をもつ複数の温度領域に分割し、前記外部温度が同じ温度領域に属している場合、前記温度差の増加に実質的に比例して増加するように補正係数を前記温度差の温度領域毎に予め設定し、且つ前記温度差が同じ温度領域に属している場合、前記外部温度の上昇に実質的に比例して増加するように前記補正係数を前記外部温度の温度領域毎に予め設定し、前記外部温度検出部で検出した外部温度の属する温度領域と前記温度差算出部で算出した温度差の属する温度領域から予め設定された補正係数を決定することを特徴とする火災感知器。
【請求項３】
煙の濃度に応じて変化する煙信号を検出して出力する煙検出部と、
感知器の外部温度を検出して出力する外部温度検出部と、
感知器の内部温度を検出して出力する内部温度検出部と、
火災による熱を受けた際の温度上昇の度合いを表す前記外部温度と内部温度の温度差を算出する温度差算出部と、
前記外部温度と前記温度差とに基づいて前記煙信号の補正係数を決定する補正係数決定部と、前記煙信号に前記補正係数を乗算して補正する煙信号補正部と、
を備え、更に、
前記補正係数決定部は、前記外部温度が第１の所定温度未満の場合、前記温度差が第１の所定温度差未満の場合、前記外部温度が第２の所定温度以上で且つ前記温度差が第２の所定温度差以下の場合は、補正係数１．０を決定して前記煙信号補正部出の補正を実質的に行わないことを特徴とする火災感知器。
【請求項４】
煙の濃度に応じて変化する煙信号を検出して出力する煙検出部と、
感知器の外部温度を検出して出力する外部温度検出部と、
感知器の内部温度を検出して出力する内部温度検出部と、
火災による熱を受けた際の温度上昇の度合いを表す前記外部温度と内部温度の温度差を算出する温度差算出部と、
前記外部温度と前記温度差とに基づいて前記煙信号の補正係数を決定する補正係数決定部と、前記煙信号に前記補正係数を乗算して補正する煙信号補正部と、
を備え、更に、
前記補正係数決定部は、前記外部温度の温度領域と前記温度差の温度領域で決まるアドレスに該当する補正係数の値を記憶した不揮発メモリを有し、前記外部温度検出部で検出した外部温度の属する温度領域と前記温度差算出部で算出した温度差の属する温度領域から求めたアドレスによる前記不揮発メモリの読出しで補正係数を決定することを特徴とする火災感知器。
【発明の詳細な説明】
【０００１】
【発明の属する技術分野】
本発明は、温度センサと煙センサの両方のセンサ信号を用いて火災を検出する火災感知器及び火災検出方法に関し、特に、火災による温度の状況変化により煙信号を補正して火災を検出する火災感知器及び火災検出方法に関する。
【０００２】
【従来の技術】
従来、火災による煙と熱の両方の検出機能を備えたマルチセンサタイプの火災検出方法として米国特許第５，００５，００３号のものがある。
【０００３】
このマルチセンサタイプの火災検出方法は、火災による熱を温度センサで検出し、検出した温度があるレベルを越えて上昇した場合、煙センサで検出した煙信号から火災を判断している閾値を下げることで煙検出の感度を上げ、火災を早期に検出するようにしている。また温度センサで検出した温度があるレベル以下の場合、煙センサの閾値を上げることにより感度を下げ、誤報を防止している。
【０００４】
【発明が解決しようとする課題】
しかしながら、温度センサの検出温度により煙センサからの煙信号の検出感度を変化させる方法にあっては、夏場に部屋の気温が高くなる場合や暖房による温度上昇といったゆっくりとした温度上昇でも、温度が高くなることで、煙センサの検出感度が上がり、火災以外の煙や水蒸気などを火災と判断し、非火災報の原因になる可能性がある。
【０００５】
一方、温度センサを用いた火災の検出方法には、時間的な温度の上昇率を検出し、急激な温度上昇で火災と判断する差動要素を用いた方法がある。この差動要素を用いた火災検出方法では、ゆっくりした温度上昇の際には煙の検出感度を下げ、早い温度上昇の時だけ煙の検出感度を上げることによって、煙濃度が低くても確実に火災を検出することができる。しかし、差動要素を用いた方法では、部屋の温度が低くても、暖房の熱風等が直接当たったような場合、急激な温度上昇により煙の検出感度が上がり、火災以外の原因による煙を火災と判断してしまい、非火災報の原因になる可能性がある。
【０００６】
本発明は、現在の温度と温度上昇率の両方を用いた煙の検出特性の補正により、火災の早期発見と非火災報の防止を図るようにした火災感知器及び火災検出方法を提供することを目的とする。
【０００７】
【課題を解決するための手段】
この目的を達成するため、本発明は次のように構成する。本発明の火災感知器は、センサとして、煙の濃度に応じて変化する煙信号Ｓを検出して出力する煙検出部と、感知器の外部温度Ｔｏを検出して出力する外部温度検出部と、感知器の内部温度Ｔｉを検出して出力する内部温度検出部を備える。
【０００８】
そして、温度差検出部が火災による熱を受けた際の温度上昇の度合いを表す外部温度Ｔｏと内部温度Ｔｉの温度差ΔＴを検出し、続いて補正係数決定部が外部温度Ｔｏと温度差ΔＴとに基づいて煙信号Ｓの補正係数Ｋを決定する。最終的に、煙信号補正部で、煙検出部で検出した煙信号Ｓに補正係数Ｋを乗算して補正する。
【０００９】
本発明の別の形態にあっては、センサとして、煙の濃度に応じて変化する煙信号Ｓを検出して出力する煙検出部と、感知器の外部温度Ｔｏを検出して出力する外部温度検出部を備える（内部温度検出部はない）。この場合、温度差検出部が火災による熱を受けた際の温度上昇の度合いを表す外部温度Ｔｏと感知器の内部温度とみなした擬似出力（参照温度）との温度差ΔＴを検出し、続いて補正係数決定部が外部温度Ｔｏと温度差ΔＴとに基づいて煙信号Ｓの補正係数Ｋを決定する。最終的に煙信号補正部が煙信号Ｓに補正係数Ｋを乗算して補正する。
【００１０】
このような本発明の火災感知器によれば、現在の外部温度と温度上昇率の両方を用いて補正係数を決定して煙信号を補正しており、煙だけでは検出することができなかった火災、例えば煙濃度が低く温度が急激に上昇する着炎火災を確実に検出することができる。
【００１１】
また温度変化の少ない通常環境の煙検出の感度は低めに設定できるので、非火災発生の確率を下げることができる。特に、通常環境の状態で暖房機器からの熱風を直接受けたような場合、ある温度に達すると温度上昇はほとんどなくなるため、煙検出の感度は低めに設定でき、温度が高くとも火災と判断されることはない。
【００１２】
補正係数決定部は、外部温度Ｔｏ及び温度差ΔＴの各々を所定の温度幅をもつ複数の温度領域に分割し、外部温度Ｔｏが同じ温度領域に属している場合、温度差の増加に実質的に比例して増加するように補正係数Ｋを温度差ΔＴの温度領域毎に予め設定し、且つ温度差ΔＴが同じ温度領域に属している場合、外部温度Ｔｏの上昇に実質的に比例して増加するように補正係数Ｋを外部温度Ｔｏの温度領域毎に予め設定する。そして外部温度検出部で検出した外部温度Ｔｏの属する温度領域と温度差算出部で算出した温度差ΔＴの属する温度領域から予め設定された補正係数Ｋを決定する。
【００１４】
また、補正係数決定部は、
外部温度Ｔｏが第１の所定温度未満の場合、
温度差ΔＴが第１の所定温度差未満の場合、
外部温度Ｔｏが第２の所定温度以上で且つ前記温度差ΔＴが第２の所定温度差以下の場合は、
補正係数Ｋ＝１．０を決定して煙信号補正部出の補正を実質的に行わないようにする。  補正係数決定部は、外部温度Ｔｏの温度領域と温度差ΔＴの温度領域で決まるアドレスに該当する補正係数Ｋの値を記憶したＥＥＰＲＯＭ等の不揮発メモリを有し、外部温度Ｔｏ検出部で検出した外部温度Ｔｏの属する温度領域と温度差算出部で算出した温度差ΔＴの属する温度領域から求めたアドレスによる不揮発メモリの読出しで補正係数Ｋを決定する。
【００１５】
外部温度Ｔｏ検出部は、感知器外部に露出して温度検出素子を設置し、内部温度検出部は、感知器内部に収納して温度検出素子を設置する。この温度検出素子としては温度により抵抗値の変化するサーミスタを使用する。
【００１６】
煙検出部は、光源から発光した煙による散乱光を受光して煙濃度に対応して変化する煙信号を出力する。また煙信号補正部で補正した煙信号を受信機に伝送する伝送部を設ける。この伝送部は、受信機からの伝送要求に基づいて煙信号補正部で補正した煙信号を受信機に伝送する。
【００２０】
【発明の実施の形態】
図１は、本発明による火災感知器の天井面等に対する設置状態の説明図である。本発明の火災感知器は、ヘッド１０とベース１２で構成される。ベース１２は天井面に固定され、ベース１２に対し下側よりヘッド１０を装着しており、ベース１２に対しヘッド１０は着脱自在である。
【００２１】
ヘッド１０の中央に突出した検出部分の周囲には、一定間隔で複数の煙流入口１４が開口している。またヘッド１０の下部に突出してケージ状（籠状）に形成されたセンサカバー１８が設けられており、センサカバー１８の中に外部温度を検出するためのサーミスタを用いた温度検出素子が配置されている。またヘッド１０にはＬＥＤを用いた作動表示灯１６が設けられる。
【００２２】
図２（Ａ）は図１の本発明による火災感知器の正面図であり、図２（Ａ）が図１の正面図、図２（Ｂ）が図１のヘッド１０の下側から見た底面図、図２（Ｃ）がヘッド１０の上部を見た平面図である。
【００２３】
図２（Ａ）から明らかなように、ヘッド１０の下部に設けたセンサカバー１８は、煙流入口１４を開口した中央の突出部に対し更に下側に突出しており、火災時の熱気流を、センサカバー１８に内蔵したサーミスタ等の温度検出素子で十分に効率良く検出できるようにしている。
【００２４】
また火災時の熱気流に伴って拡散してくる煙は、周囲に開口した煙流入口１４から内部に侵入し、内蔵した煙センサ機構による煙検出ができる。この場合、図２（Ｂ）のように、煙流入口１４はヘッド１８の全周に亘って定間隔で形成されているため、あらゆる方向からの煙に対し内部に流入して煙検出ができる。
【００２５】
更に図２（Ｃ）のように、ヘッド１０の上部には例えば３つの嵌合端子金具２０−１，２０−２，２０−３が装着されており、この嵌合端子金具２０−１〜２０−３に対応して感知器ベース１２の下面には、嵌合受け金具が装着されており、ベース１２に下側よりヘッド１０を押し当てて回すことで嵌合金具２０−１〜２０−３がベース１２側の嵌合部に嵌り込み、電気的且つ機械的に接続される。
【００２６】
図３は、本発明の火災感知器の内部回路のブロック図である。図３において、受信機側と接続される端子Ｓ，ＳＣに続いて、ノイズ吸収回路２４及び定電圧回路２６が設けられる。定電圧回路２６は、受信機側からの供給電源電圧を例えば＋１２ボルトに安定化して出力する。定電圧回路２６に続いては熱検出部２８、煙検出部３０が設けられる。
【００２７】
また定電圧回路２６の前段には伝送部３２が設けられる。伝送部３２に続いては定電圧回路３４が設けられる。定電圧回路３４は、定電圧回路２６からの＋１２ボルトの電源供給を受けて＋３ボルトに安定化した定電圧出力を生ずる。定電圧回路３４に続いてはＣＰＵ３６が設けられる。ＣＰＵ３６に対しては、Ａ／Ｄ基準電圧回路３８、アドレス種別設定回路４０、発振回路４２及びリセット回路４４が設けられている。
【００２８】
熱検出部２８には熱検出回路５２が設けられる。熱検出回路５２は、図４の回路ブロック図に示すように、外部サーミスタ５８、外部温度検出回路６０、内部サーミスタ６２及び内部温度検出回路６４を備える。外部サーミスタ５８は、図１のヘッド１０に設けているセンサカバー１８の中に外気に触れた状態で配置されており、外部温度に応じた抵抗値の変化を生ずる。
【００２９】
外部温度検出回路６０は、外部サーミスタ５８の抵抗値の変化を外部温度Ｔｏに対応した温度検出信号に変換して、図３のＣＰＵ３６に出力する。内部サーミスタ６２は、図１のヘッド１０の外気を直接受けない内部に配置され、内部温度に応じた抵抗値の変化を生ずる。内部温度検出回路６４は内部サーミスタ６２の抵抗値の変化により、内部温度Ｔｉに対応した内部温度検出信号を図３のＣＰＵ３６に出力する。
【００３０】
再び図３を参照するに、煙検出部３０は、ＬＥＤ発光回路４６、受光回路４８及び受光増幅回路５０を備える。ＬＥＤ発光回路４６は、間欠的に光源としてのＬＥＤを発光している。このＬＥＤの発光は、端子Ｓ，ＳＣに対する受信機からの一定周期の呼出信号に同期して発光駆動してもよいし、発振回路４２のクロックパルスから分周した分周パルスを用いて一定時間間隔で発光駆動してもよい。
【００３１】
受光回路４８は、ＬＥＤ発光回路４６で発光駆動したＬＥＤからの光の火災により流入した煙による散乱光を受光して電気信号に変換する。受光回路４８で受光した微弱な受光信号は、受光増幅回路５０で増幅された後、ＣＰＵ３６に対し煙信号として出力されている。
【００３２】
伝送部３２は、伝送信号検出回路５４と応答信号回路５６で構成される。応答信号回路５６には作動表示灯１６が含まれる。伝送信号検出回路５４は端子Ｓ，ＳＣに対する図示しない受信機からの伝送要求信号を受信してＣＰＵ３６に伝送要求を伝える。この受信機からの伝送要求信号は、コマンド、アドレス、チェックサムで構成されている。
【００３３】
ＣＰＵ３６は、伝送信号検出回路５４より受信機からの伝送要求信号を受けると、受光増幅回路部５０から入力している煙信号Ｓを、熱検出回路５２からの外部温度Ｔｏ、及び外部温度Ｔｏと内部温度Ｔｉの温度差ΔＴ（＝Ｔｏ−Ｔｉ）に基づく補正係数Ｋで補正し、応答信号回路５６により受信機側に補正された煙データＳを応答する。
【００３４】
応答信号回路５６による作動表示灯１６の点灯駆動は、ＣＰＵ３６が受信機に対し応答動作を行うときに点灯する。また受信機に伝送した煙データＳに基づいて火災が判断されたときの受信機からの火災検出信号に基づき、作動表示灯１６を点灯してもよい。即ち、応答信号伝送時は作動表示灯１６は点滅であり、受信機からの火災検出信号を受けたときは作動表示灯１６は点灯となる。
【００３５】
更に受信機から火災感知器に対する伝送要求信号は、端子Ｓ，ＳＣ間に接続する一対の信号線の電圧変化で伝送され、これに対し火災感知器の伝送部３２からの応答信号は受信機からの信号線間に電流を流す電流モードで伝送される。
【００３６】
Ａ／Ｄ基準電圧回路３８は、ＣＰＵ３６に設けている熱検出回路５２からの外部温度信号Ｔｏ、内部温度信号Ｔｉ、更に受光増幅回路５０からの煙信号Ｓをデジタル信号に変換するＡ／Ｄコンバータの基準電圧を出力する。
【００３７】
アドレス種別設定回路４０は、感知器アドレスをＣＰＵ３６に設定し、感知器の種別を判別する。
【００３８】
本発明の火災感知器は、通常のモードでは受信機に対しては煙信号Ｓを出力する。発振回路４２はＣＰＵ３６を動作するためのクロックパルスを発振する。リセット回路４４は受信機側での電源投入時にＣＰＵ３６に対する定電圧回路３４からの電源電圧が規定電圧に立ち上がったときにリセット信号をＣＰＵ３６に出力して、ＣＰＵ３６のイニシャルリセットを行う。
【００３９】
図５は、図３のＣＰＵ３６のプログラム制御により実現される本発明の火災検出方法を実現する機能ブロック図である。図５において、ＣＰＵ３６の機能として、Ａ／Ｄコンバータ６６，６８，７０、温度差算出部７２、補正係数決定部７４、乗算器を用いた煙データ補正部７８を備える。
【００４０】
Ａ／Ｄコンバータ６６は、図４の熱検出回路５２に設けた外部温度検出回路６０からの外部温度検出信号Ｔｏをデジタルの外部温度データＴｏに変換して取り込む。Ａ／Ｄコンバータ６８は、図４の熱検出回路５２に設けた内部温度検出回路６４からの内部温度検出信号Ｔｉをデジタル変換して内部温度データＴｉとして取り込む。更にＡ／Ｄコンバータ７０は、図３の煙検出部３０に設けた受光増幅回路５０からの煙信号をデジタルの煙データＳに変換して取り込む。
【００４１】
温度差算出部７２は、Ａ／Ｄコンバータ６６で取り込んだ外部温度データＴｏとＡ／Ｄコンバータ６８で取り込んだＴｉとの差を温度差ΔＴとして算出し、補正係数決定部７４に出力する。この温度差ΔＴは火災により熱気流を受けたときの温度上昇率を表わしている。
【００４２】
補正係数決定部７４は、外部温度データＴｏと温度差ΔＴの両方に基づいて、Ａ／Ｄコンバータ７０で取り込んだ煙データＳを補正するための補正係数Ｋを決定する。この補正係数Ｋは、不揮発メモリ７６に外部温度データＴｏと温度差ΔＴの２つの温度条件に基づいて予め保存されており、そのとき得られた外部温度データＴｏと温度差ΔＴから対応する補正係数Ｋが格納された不揮発メモリ７６のアドレスを求め、このアドレスによる不揮発メモリ７６の指定で、対応する補正係数Ｋを読み出して煙データ補正部７８に出力する。
【００４３】
このように、図５では、不揮発メモリ７６から直接補正係数ＫをＣＰＵ３６に取り込んだが、電源立ち上げ時に不揮発メモリ７６から一旦ＣＰＵ３６のＲＡＭ（図示せず）へ補正係数Ｋに関するデータを転送しておき、ＲＡＭ内の値を読み込むという方法でも良い。この場合、アクセス時間がかからないという利点を持つ。
【００４４】
煙データ補正部７８は、Ａ／Ｄコンバータ７０で取り込んだ煙データＳに補正係数決定部７４より出力した補正係数Ｋを乗じて補正した煙データＳを出力する。即ち、煙データ補正部７８は
Ｓ＝Ｋ×Ｓ
とする補正を行って、煙データＳを出力する。
【００４５】
図６は、図５の補正係数決定部７４及び不揮発メモリ７６で実現される本発明の外部温度データＴｏと温度差ΔＴに基づいた煙データの補正係数Ｋをテーブル情報として表わしている。
【００４６】
図６（Ａ）において、テーブルの縦方向は外部温度Ｔｏであり、この実施形態にあっては、４０．０℃未満、４０．０℃以上５０．０℃未満、５０．０℃以上６０．０℃未満、６０．０℃以上７０．０℃未満、７０．０℃以上８０．０℃未満、８０．０℃以上の６つの温度範囲に分割している。
【００４７】
また横方向は温度差ΔＴであり、５．５℃未満、５．５℃以上１３．０℃未満、１３．０℃以上２０．５℃未満、２０．５℃以上の４つの温度範囲に分割している。このような６領域に分けた外部温度Ｔｏと４領域に分けたΔＴの２つのパラメータで決まる領域には、煙データＳの補正係数Ｋが図示の数値のように予め設定されている。
【００４８】
この補正係数Ｋは、例えば１．０から最大で１．６の値をもつ。ここで補正係数Ｋ＝１．０は補正を行わないことを意味する。したがって図６（Ａ）のテーブルは、補正係数Ｋ＝１．０を補正なしとすると、図６（Ｂ）のように表わすことができる。この図６（Ｂ）のテーブル情報から、この実施形態にあっては次のようにして補正係数Ｋを決めている。
【００４９】
まず外部温度Ｔｏが４０．０℃未満の場合には、温度差ΔＴがどのような区分にあっても補正は行わない。また温度差ΔＴが５．５℃未満については、外部温度Ｔｏがどのような温度範囲にあっても補正は行わない。即ち、この補正なしの領域では本発明の火災感知器は煙データＳを補正せずにそのまま出力する煙感知器として動作する。
【００５０】
これに対し外部温度Ｔｏが４０．０℃以上で且つ温度差ΔＴが５．５℃以上となる範囲では、煙検出の感度が増加するように煙データを補正する補正係数Ｋを設定し、具体的には外部温度Ｔｏ＝４０．０℃以上５０．０℃未満の範囲では、温度差ΔＴ＝５．５℃以上１３．０℃未満以上でＫ＝１．１、ΔＴ＝１３．０℃以上２０．５℃未満以上でＫ＝１．２、ΔＴ＝２０．５℃以上でＫ＝１．３としている。
【００５１】
また外部温度Ｔｏ＝５０．０℃以上６０．０℃未満の範囲にあっては、ΔＴ＝５．５℃以上１３．０℃未満、１３．０℃以上２０．５℃未満、２０．５℃以上の各範囲で、Ｋ＝１．２，１．３，１．４としており、これは１つ前の低い外部温度Ｔｏ＝４０．０℃以上５０．０℃未満の場合に比べ補正係数の値を増加させている。
【００５２】
次の外部温度Ｔｏ＝６０．０℃以上７０．０℃未満の範囲についても、温度差ΔＴ＝５．５℃以上１３．０℃未満，１３．０℃以上２０．５℃未満，２０．５℃以上のそれぞれについて、Ｋ＝１．３，１．４，１．５と、１つ前の外部温度の段階より高い補正係数を設定している。
【００５３】
次の外部温度Ｔｏ＝７０．０℃以上８０．０℃未満及び８０．０℃以上の場合については、温度差ΔＴ＝５．５℃以上１３．０℃未満については補正係数Ｋ＝１．０とすることで補正なしとし、温度差ΔＴ＝１３．０℃以上２０．５℃未満及び２０．５℃以上の２つの範囲について補正係数Ｋ＝１．４と１．５、また補正係数Ｋ＝１．５と１．６を設定している。
【００５４】
この外部温度Ｔｏ７０．０℃以上８０．０℃未満及び８０．０℃以上でΔＴ＝５．５℃以上１３．０℃未満の場合に補正なしとする理由は、外部温度Ｔｏは７０．０℃と高いが温度差ΔＴが５．５℃以上１３．０℃未満と比較的低く、このような状況は火災以外の熱源による温度の環境であり、この場合は煙データＳの補正なしとしている。
【００５５】
この条件は例えば暖房機器からの熱の輻射や熱気流を火災感知器で直接受けた場合であり、外部温度Ｔｏは７０．０℃以上と比較的高いが、火災時のように温度上昇率はそれ程大きくなく、煙データを補正して煙検出感度を上げることによる非火災報を防止するため補正なしとしている。
【００５６】
図６（Ｂ）に示す外部温度Ｔｏと温度差ΔＴの２つのパラメータで決まる補正係数Ｋの決定は、具体的には図７のようなアドレステーブルと不揮発メモリの格納データを用いて実現される。図７（Ａ）は、図７（Ｂ）の不揮発メモリ７６のアドレステーブルである。
【００５７】
図７（Ａ）のアドレステーブルにあっては、図６（Ｂ）と同じ外部温度Ｔｏの温度範囲及び温度差ΔＴの温度範囲で決まる補正なし以外の領域に、図７（Ｂ）の不揮発メモリ７６のアドレスを例えば左上隅から横方向に順番となるように、アドレス２８，２９，３０，・・・３９，４０を格納している。この場合、不揮発メモリ７６は各アドレスに対して８ビットの補正係数と８ビットの温度差領域を示す１６ビットの２進データを格納している。
【００５８】
図７（Ａ）のアドレステーブルに対応して、図７（Ｂ）の不揮発メモリ７６のアドレス２８〜４０の各領域には、図６（Ｂ）に定めている補正係数Ｋ＝１．１，１．２，１．３，・・・１．５，１．６及び温度差領域を示すデータがそれぞれ格納されている。ここで温度差領域を示すデータとしては、例えば５．５℃以上１３．０℃未満で６、１３．０℃以上２０．５℃未満で１３、２０．５℃以上で２１を使用している。
【００５９】
図７（Ｂ）の不揮発メモリ７６に格納した補正係数Ｋ＝１．１〜１．６は、実際には８ビットの２進データとして格納される。図７（Ｃ）は実際に使用する不揮発メモリ７６に格納した補正係数であり、補正係数＝１．０を８ビット２進データ「１０００００００」とし、即ち１０進で「１２８」とした場合である。
このため図７（Ｂ）の補正係数Ｋ＝１．１〜１．６は、１０進で表わした補正係数「１４１，１５４，１６６，・・・１９２，２０５」の８ビット２進データとして格納される。
【００６０】
図７（Ａ）の外部温度Ｔｏと温度差ΔＴに基づく図７（Ｃ）の不揮発メモリ７６のアドレス指定は、図５の補正係数決定部７４に図７（Ａ）のようなアドレステーブルを設けてもよいが、この実施形態にあっては、補正係数決定部７４の機能を実現するＣＰＵ３６のプログラムの中に、外部温度Ｔｏに該当するアドレスが指定できるように、アドレス値が記述されている。好ましくは、アクセス時間が短縮できるので電源立ち上げ時にＥＥＰＲＯＭからＲＡＭへデータ転送し、ＲＡＭよりデータをもらうほうが良い。
【００６１】
図８は、図５のＣＰＵ３６による本発明の第１実施形態の火災検出処理のフローチャートであり、この処理は図３のＣＰＵ３６に対して設けている発振回路４２からの発振クロックに基づく一定の処理周期ごとに繰り返される。
【００６２】
まずステップＳ１で、Ａ／Ｄコンバータ７０がデジタル変換した煙データＳを読み込む。続いてステップＳ２で、Ａ／Ｄコンバータ６６，６８により外部温度Ｔｏと内部温度Ｔｉを読み込む。次にステップＳ３で、温度差算出部７２により温度差ΔＴをΔＴ＝Ｔｏ−Ｔｉとして算出する。続いてステップＳ４に進み、補正係数決定部７４が煙データを補正するための外部温度Ｔｏと温度差ΔＴの条件が成立するか否か判定する。
【００６３】
具体的には、図７（Ａ）のアドレステーブルの内容を指示したプログラム中の、そのときの外部温度Ｔｏが含まれる温度範囲に該当するアドレスを決定し、不揮発メモリ７６から補正係数と温度差領域のデータを読み出す。このとき例えば外部温度Ｔが１３．０℃以上２０．５℃未満であったとすると、図７（Ｂ）のアドレス２８,２９,３０が指定され、不揮発メモリ７６から３つのデータが読出される。そこで、読み出した３つのデータの中の温度差領域を示す値６,１３,２１と、そのときの温度差ΔＴを比較し、該当する温度差領域の補正係数Ｋを決定する。
【００６４】
続いてステップＳ６で、決定した補正係数を用いて煙データ補正部７８がＡ／Ｄコンバータ７０から取り込んだ煙データＳに乗じてＳ＝Ｋ×Ｓとする補正を行う。最終的にステップＳ７で、補正した煙データＳを出力する。
【００６５】
一方、ステップＳ４で煙データを補正するための外部温度と温度差の条件が成立しなかった場合には、ステップＳ５，Ｓ６の処理をスキップし、ステップＳ７でそのまま煙データＳを出力する。具体的には、補正係数決定部７４で不揮発メモリ７６のアドレスが取得できないことから、煙データ補正部７８による補正を行わず、Ａ／Ｄコンバータ７０から取り込んだ煙データＳをそのまま出力する。
【００６６】
このように、そのときの外部温度Ｔｏと温度上昇率を示す温度差ΔＴに基づき、外部温度が高く上昇率が高い温度差の大きいほど、より大きくなる補正係数Ｋを決定して、煙検出感度を高めるように煙データを補正し、着炎火災のように煙がほとんど出ずに温度が急激に上昇する火災であっても、煙検出感度を高めることで、煙データから着炎火災を確実に且つ早期に検出することができる。
【００６７】
一方、暖房機器の熱気流や輻射熱を直接受けた通常時にあっては、外部温度Ｔｏは高いが温度差ΔＴは小さく、温度上昇はほとんど見られないことから、この場合には煙データの補正を行わないことで非火災報を確実に防止する。
【００６８】
図９は、本発明の第２実施形態で使用する図３の熱検出部２８に設けた熱検出回路５２の回路ブロック図である。この第２実施形態の熱検出回路５２にあっては、外部サーミスタ５８のみを設け、外部サーミスタ５８の外部温度による抵抗値の変化を外部温度検出回路６０で外部温度Ｔｏに対応して変化する外部温度検出信号ＴｏとしてＣＰＵ３６に出力している。
【００６９】
図１０は、図９の熱検出回路５２からの外部温度検出信号Ｔｏに基づいて煙検出感度を補正する本発明の第２実施形態となるＣＰＵ３６の機能ブロック図である。この第２実施形態において、ＣＰＵ３６には、図９の熱検出回路５２に設けた外部サーミスタによる外部検出温度信号Ｔｏと、図３の煙検出部３０に設けた受光増幅回路５０からの煙信号Ｓが入力され、第１実施形態のように内部サーミスタに基づいて検出した内部温度検出信号Ｔｉは入力されていない。
【００７０】
Ａ／Ｄコンバータ６６は、一定周期ごとに外部温度Ｔｏを取り込んで、デジタルの外部温度Ｔｏとして温度差算出部８０に供給している。温度差算出部８０は、時定数の大きな温度センサの擬似出力（参照温度）を算出する（これを感知器内部温度とみなす）。そして外部温度データと前記参照温度との差により、火災による温度上昇率を示す温度差ΔＴを算出する。
【００７１】
別の方法として、一定時間分の温度データ値を記憶しておき、データ値の差を時間間隔で割り算して温度上昇率を求めても良い。
【００７２】
補正係数算出部７４、不揮発メモリ７６、煙データ補正部７８は、図５の第１実施形態と同じであり、例えば図７（Ａ）のアドレステーブルによる外部温度Ｔｏと温度差ΔＴに基づいたアドレス決定を行い、決定したアドレスによる図７（Ｃ）の内容をもつ不揮発メモリ７６の読出しで補正係数Ｋを決定する。
【００７３】
図１１は、図１０のＣＰＵ３６の機能ブロック図で示す本発明の第２実施形態による火災検出処理のフローチャートである。この第２実施形態の火災検出処理にあっては、ステップＳ１で煙データＳを読み込み、続いてステップＳ２で外部温度データＴｏを読み込んで保存し、ステップＳ３で温度差算出部８０が感知器の内部温度とみなした擬似出力（参照温度）と外部温度Ｔｏの差として温度差データΔＴを算出する。
【００７４】
続いてステップＳ４で煙データを補正するための外部温度Ｔｏと温度差ΔＴの条件成立か否かチェックし、条件成立であれば、ステップＳ５で現在の外部温度Ｔｏと温度差ΔＴに基づいて補正係数Ｋを決定し、ステップＳ６で煙データＳに乗じて補正した後、ステップＳ７で補正後の煙データを出力する。一方、ステップＳ４で煙データを補正するための外部温度Ｔｏと温度差ΔＴの条件が成立していない場合には、ステップＳ５，Ｓ６の処理をスキップし、ステップＳ７で煙データＳをそのまま出力する。
【００７５】
この図１０の第２実施形態にあっても、そのときの外部温度Ｔｏと温度上昇率を表わす温度差ΔＴの２つのパラメータにより、外部温度Ｔｏが高く温度上昇率が高い場合に、より高い値となる補正係数を決定して、煙の検出感度を高めるように煙データを補正するため、煙の発生が少なく温度が急激に上昇する着炎火災であっても、煙データの補正によって確実に且つ早期に火災を検出することができる。
【００７６】
また暖房機器の熱を直接受ける煙の発生のない状況では、温度が高くても温度上昇率が低いことから、煙データの補正は行わず、これによって暖房機器等による非火災報を確実に防止できる。
【００７７】
尚、上記の実施形態における外部温度と温度差の２つのパラメータに基づいた煙の検出感度を高めるための補正係数Ｋの決定は、図６の２つの温度範囲で決まる補正係数の値に限定されず、外部温度が高く温度上昇率が高いほど、より大きな値をもつ補正係数を決定するという条件を満足する範囲で適宜に定めることができる。もちろん、この場合に、火災以外の原因が明らかな領域については不必要であるから補正を行わないようにする。
【００７８】
また上記の実施形態で、補正係数ＫをＫ＝１．１〜１．６の範囲で変化させているが、この値も必要に応じて、１．０を越える適宜の値が設定できる。また補正係数Ｋとしては、１より小さい値を設定することで、煙による非火災報を更に確実に防止できる。
【００７９】
また本発明は、図６に示した外部温度Ｔｏ及び温度差ΔＴの温度範囲の区分に限定されず、必要に応じて、より多い分割数または少ない分割数とすることもできるし、数値自体も可変可能である。
【００８０】
【発明の効果】
以上説明してきたように本発明によれば、現在の外部温度と温度上昇率の両方を用いた煙の検出特性の補正により、火災の早期発見と非火災報の防止を同時に図ることができる。
【００８１】
特に、煙だけでは検出することができなかった火災、例えば煙の発生が少なく温度が急激に上昇する着炎火災であっても、熱データによって補正された煙検出データによって確実に火災を検出することができる。
【００８２】
また、外部温度が高くても温度上昇率が小さい通常環境、例えば暖房の熱気流や熱が直接当たったような場合については、煙検出の補正が行われないため、火災以外の原因による煙や調理等の水蒸気による非火災報を確実に防止できる。
【図面の簡単な説明】
【図１】本発明の火災感知器の説明図
【図２】図１の火災感知器の正面、底面、背面の説明図
【図３】図１の感知器回路のブロック図
【図４】外部サーミスタと内部サーミスタを備えた図３の熱検出回路のブロック図
【図５】図３のＣＰＵにより実現される本発明の第１実施形態のブロック図
【図６】本発明の補正係数の決定に使用するテーブル説明図
【図７】図６の補正係数テーブルを実現するアドレス変換テーブル、メモリ補正係数テーブルの説明図
【図８】図５の火災検出処理のフローチャート
【図９】図３のＣＰＵにより実現される本発明の第２実施形態のブロック図
【図１０】外部サーミスタのみを備えた図３の熱検出回路のブロック図
【図１１】図１０の火災検出処理のフローチャート
【符号の説明】
１０：ヘッド
１２：ベース
１４：煙流入口
１６：発報表示灯
１８：センサカバー
２０−１，２０−２，２０−３：嵌合端子金具
２４：ノイズ吸収回路
２６，３４：定電圧回路
２８：熱検出部
３０：煙検出部
３２：伝送部
３６：ＣＰＵ
３８：Ａ／Ｄ基準電圧回路
４０：アドレス・種別設定回路
４２：発振回路
４４：リセット回路
４６：ＬＥＤ発光回路
４８：受光回路
５０：受光増幅回路
５２：熱検出回路
５４：伝送信号検出回路
５６：応答信号回路
５８：外部サーミスタ
６０：外部温度検出回路
６２：内部サーミスタ
６４：内部温度検出回路
６６，６８，７０：Ａ／Ｄ変換器
７２，８０：温度差算出部
７４：補正係数決定部
７６：不揮発メモリ（ＥＥＰＲＯＭ）
７８：煙データ補正部（乗算器）
【図１】
0003708727.tif 000002
【図２】
0003708727.tif 000003
【図３】
0003708727.tif 000004
【図４】
0003708727.tif 000005
【図５】
0003708727.tif 000006
【図６】
0003708727.tif 000007
【図７】
0003708727.tif 000008
【図８】
0003708727.tif 000009
【図９】
0003708727.tif 000010
【図１０】
0003708727.tif 000011
【図１１】
0003708727.tif 000012